(57)【要約】【課題】インキつぼ等の洗浄対象物を全体にわたって効果的に洗浄処理することができる洗浄装置を提供することである。【解決手段】洗浄槽６内に洗浄対象物Ａを吊下げ支持する受け具８を設け、その受け具８で支持された洗浄対象物Ａの周りに洗浄液噴射管９を配置し、その洗浄液噴射管９に洗浄対象物Ａに向けて洗浄液を噴射する複数のノズル１０を洗浄液噴射管９の長さ方向に間隔をおいて設ける。洗浄液噴射管９に洗浄液を圧送するポンプ１２を接続し、その洗浄液噴射管９を軸方向に一定ストローク往復動させる往復動機構２０と、軸心を中心に一定角度揺動させる揺動機構３０とを設け、前記ポンプ１２から洗浄液噴射管９に圧送される洗浄液をノズル１０から洗浄対象物Ａに向けて噴射し、その噴射時に洗浄液噴射管９を軸方向に移動させ、かつ揺動させて洗浄対象物Ａの全体を洗浄する。【選択図】  図３
2004299205.tif 000002
【特許請求の範囲】
【請求項１】
洗浄対象品の支持部を有し、底部に排水口が形成された洗浄槽と、前記支持部に支持された洗浄対象品に向けて洗浄液を噴射する複数のノズルが長さ方向に間隔をおいて設けられた洗浄液噴射管と、その洗浄液噴射管内に洗浄水を圧送するポンプと、前記洗浄液噴射管を軸方向に一定ストローク往復動させる往復動機構とから成る洗浄装置。
【請求項２】
前記洗浄液噴射管を、その軸心を中心に揺動させる揺動機構を設けた請求項１に記載の洗浄装置。
【発明の詳細な説明】
【０００１】
【発明の属する技術分野】
この発明は、インキ供給装置におけるインキつぼのように、比較的長い洗浄対象物を洗浄する洗浄装置に関するものである。
【０００２】
【従来の技術】
一般に、オフセット印刷機においては、印刷作業の終了後、版胴の印刷版にインキを供給するインキ供給装置のインキつぼを取外して洗浄することが行なわれている。
【０００３】
インキつぼのようなインキングパーツの洗浄に際し、洗浄槽内に充填された洗浄液中にインキングパーツを浸漬し、ポンプから噴流ノズルに圧送される洗浄液を洗浄槽内に噴射させて洗浄槽内の洗浄液に噴流を生成し、その噴流との接触によってインキングパーツを洗浄するようにした洗浄装置が従来から知られている（特許文献１参照）。
【０００４】
【特許文献１】
特開平１０−１００３９０号公報
【０００５】
【発明が解決しようとする課題】
ところで、上記特許文献１に記載された洗浄装置においては、洗浄槽の洗浄液に噴流を生成し、その噴流を洗浄対象物に衝突させてインキングパーツを洗浄する構成であるため、噴流の勢いが弱く、インキングパーツを効果的に洗浄することができない。
【０００６】
また、インキングパーツに対する噴流の衝突位置が一定であるため、インキングパーツを全体にわたって均一に洗浄することができない。
【０００７】
この発明の課題は、インキつぼ等の比較的細長い洗浄対象物を全体にわたって均一に効果的に洗浄することができるようにした洗浄装置を提供することである。
【０００８】
【課題を解決するための手段】
上記の課題を解決するために、この発明においては、洗浄対象品の支持部を有し、底部に排水口が形成された洗浄槽と、前記支持部に支持された洗浄対象品に向けて洗浄液を噴射する複数のノズルが長さ方向に間隔をおいて設けられた洗浄液噴射管と、その洗浄液噴射管内に洗浄水を圧送するポンプと、前記洗浄液噴射管を軸方向に一定ストローク往復動させる往復動機構とから成る構成を採用したのである。
【０００９】
上記のように構成すれば、洗浄液噴射管の各ノズルから噴射される洗浄液を洗浄対象物に直接衝突させることができるため、洗浄液の衝突力が強く、しかも、洗浄液噴射管を軸方向に一定ストローク往復動させることによって洗浄液の衝突部位が洗浄対象物の長さ方向に変化するため、洗浄対象物を全体にわたって均一に効果的に洗浄することができる。
【００１０】
ここで、洗浄液噴射管を軸心を中心に揺動させる揺動機構を設けると、ノズルから噴射される洗浄液を洗浄対象物の隅々まで衝突させることができ、洗浄対象物の全体をより効果的に洗浄することができる。
【００１１】
【発明の実施の形態】
以下、この発明の実施の形態を図面に基づいて説明する。図１に示すように、貯溜タンク１の内部は仕切板２によって洗浄液の貯溜室３と回収室４とに区切られ、その両室３、４は下部において連通し、上記回収室４内の底部にフィルタ５が設けられている。
【００１２】
貯溜タンク１の上部には洗浄槽６が設けられ、その洗浄槽６の底部に設けられた排水口７は回収室４に連通している。
【００１３】
図１および図２に示すように、洗浄槽６の内部にはインキつぼ等の洗浄対象物Ａの両端部を支持する支持部としての受け具８が設けられ、その受け具８によって洗浄対象物Ａが吊り下げられる。
【００１４】
洗浄槽６の内部には洗浄液噴射管９が設けられている。洗浄液噴射管９は洗浄槽６の対向する端板６ａによって回転自在に、かつ軸方向に移動自在に支持され、洗浄槽６の内部に位置する部分には図３に示すように、受け具８に支持された洗浄対象物に向けて洗浄液を噴射する複数のノズル１０が洗浄液噴射管９の軸方向に間隔をおいて設けられている。
【００１５】
洗浄液噴射管９の一方の端部は洗浄槽６の端板６ａを貫通し、外部に位置する端部に可撓性を有するチューブ１１が接続され、そのチューブ１１はポンプ１２の吐出口に接続されている。
【００１６】
ポンプ１２の吸込口に接続された吸込管１３は、図１に示すように、貯溜室３の洗浄液中に差し込まれている。このため、ポンプ１２を駆動すると、洗浄液が洗浄液噴射管９内に圧送され、ノズル１０から噴射される。
【００１７】
洗浄液噴射管９は貯溜タンク１の上側に設けられた往復動機構２０によって軸方向に一定ストローク往復動される。
【００１８】
また、洗浄液噴射管９は揺動機構３０によって軸心を中心に揺動される。
【００１９】
図３および図５に示すように、往復動機構２０は、洗浄液噴射管９の端部にカム筒２１を嵌合して固定し、そのカム筒２１の外周に右螺旋溝と左螺旋溝が連続する連続溝２２を設け、上記カム筒２１の外側に設けられた駆動筒２３を貯溜タンク１の上面から起立するブラケット２４で回転可能に支持し、その駆動筒２３に上記連続溝２２に挿入されるピン２５を設けている。また、貯溜タンク１の上側にモータ２６を設け、そのモータ２６の回転をギヤ伝動機構２７を介して駆動筒２３に伝え、その駆動筒２３の回転によりカム筒２１とこれに一体の洗浄液噴射管９を軸方向に一定ストローク往復動させるようにしている。
【００２０】
揺動機構３０は、前記モータ２６を支持するモータプレート３１にモータ２６が駆動される駆動ディスク３２を回転自在に支持し、その駆動ディスク３２の外周部に一端が固定されたクランクピン３３の他端部を駆動ディスク３２の回転中心と同一の軸心を中心として回転可能なクランクアーム３４で支持し、一方、洗浄液噴射管９にレバー３５の一端部を固定し、そのレバー３５の他端部に形成された長孔３６に前記クランクピン３３を挿入し、前記駆動ディスク３２の回転によりレバー３５を揺動させて洗浄液噴射管９を一定角度揺動させるようにしている。
【００２１】
実施の形態で示す洗浄装置は上記の構造から成り、洗浄対象物Ａの洗浄に際しては、その洗浄対象物Ａを洗浄槽６内に挿入して受け具８で両端部を支持し、上記洗浄対象物Ａの吊下げ状態において、ポンプ１２およびモータ２６を駆動する。
【００２２】
前記ポンプ１２の駆動によって貯溜室３内の洗浄液が洗浄液噴射管９内に圧送され、その洗浄液噴射管９に設けられた複数のノズル１０のそれぞれから洗浄対象物Ａに向けて噴射される。
【００２３】
また、モータ２６の駆動によって往復動機構２０が作動し、洗浄液噴射管９が軸方向に一定ストローク往復動される。
【００２４】
さらに、モータ２６の駆動によって揺動機構３０が作動し、洗浄液噴射管９が軸心を中心として一定角度揺動される。
【００２５】
このため、洗浄液噴射管９の各ノズル１０から噴射される洗浄液の洗浄対象物Ａに対する当接部位は、その洗浄対象物Ａの長さ方向および上下方向に変化し、洗浄対象物Ａの全体をきわめて効果的に洗浄することができる。
【００２６】
洗浄対象物Ａに衝突した洗浄廃液は洗浄槽６内に滴下し、排水口７から回収室４内に流れ、フィルタ５でろ過されて貯溜室３内に流入し、循環使用される。
【００２７】
実施の形態では、洗浄液噴射管９を軸方向に一定ストローク往復動させると共に、軸心を中心として所定角度揺動させるようにしたが、洗浄槽６内に吊下げられた洗浄対象物の上下方向の大きさがノズル１０から噴射される洗浄液の噴射範囲内に納まる大きさの場合には、洗浄液噴射管９を揺動させずに軸方向にのみ一定ストローク往復動させるようにしてもよい。
【００２８】
【発明の効果】
以上のように、この発明においては、洗浄液噴射管のノズルから噴射される洗浄液を洗浄対象物に直接衝突させると共に、洗浄液噴射管を軸方向に一定ストローク往復動させて洗浄液の衝突部位を洗浄対象物の長さ方向に変化させるようにしたので、洗浄対象物を全体にわたって効果的に洗浄処理することができる。
【００２９】
また、洗浄液噴射管を軸心を中心にして一定角度揺動させるようにしたので、大型の洗浄対象物であっても全体にわたって効果的に洗浄することができる。
【図面の簡単な説明】
【図１】この発明に係る洗浄装置の実施の形態を示す縦断正面図
【図２】図１の平面図
【図３】図２の一部分を拡大して示す平面図
【図４】図３のＩＶ−ＩＶ線に沿った断面図
【図５】図３のＶ−Ｖ線に沿った断面図
【符号の説明】
Ａ  洗浄対象物
６  洗浄槽
７  排水口
８  受け具（支持部）
９  洗浄液噴射管
１０  ノズル
１２  ポンプ
２０  往復動機構
３０  揺動機構
【図１】
2004299205.tif 000003
【図２】
2004299205.tif 000004
【図３】
2004299205.tif 000005
【図４】
2004299205.tif 000006
【図５】
2004299205.tif 000007